(57)【要約】【課題】必要充分な強度を有し、効率良く、遊技に係る部品を筐体に対して交換可能な遊技機を提供する。【解決手段】遊技機は、樹脂製の本体部１１と、本体部の開口した開口淵に対して取り付けられる金属製の補強枠１２とによって筐体１０を構成している。筐体１０には、リールユニット３０や、制御基板３１が収容されるように構成されていると共に、これらリールユニット３０及び制御基板３１の少なくとも一方は、フレーム体に取り付けられて取付ユニット４０を構成している。取付ユニット４０には、リールの前面を覆う扉部６１が開閉自在に取り付けられる取付部材を有しており、この取付部材は補強枠１２に対して固定支持されている。【選択図】図８
2017035221.tif 000002
【特許請求の範囲】
【請求項１】
一面が開口した樹脂製の本体部、前記本体部の開口した開口淵に対して取り付けられる金属製の補強枠、を有する筐体と、
外周面に複数種類の図柄が配列されている複数のリール、前記複数のリールの回転を制御する制御基板、これら複数のリール及び制御基板の少なくとも一方が取り付けられるフレーム体、を有する取付ユニットと、
前記筐体に収容された状態の前記リールの前面を覆う扉部と、
前記扉部を開閉可能に支持するヒンジ部と、を備え、
前記取付ユニットは、前記フレーム体に対して取り付けられると共に前記ヒンジ部を取り付ける取付部材を有し、かつ、ユニット単位で前記筐体に対して着脱可能に構成され、
前記取付部材は、前記取付ユニットが前記筐体に収容された状態にて前記補強枠に対して固定支持される、
ことを特徴とする遊技機。
【請求項２】
前記扉部は、前記筐体の下方側を覆う下扉の上方に設けられた上扉であり、
前記ヒンジ部は、上下位置が異なるように所定間隔を存して配設された第１及び第２ヒンジを有し、
前記取付部材は、前記フレーム体の外側面に対して取り付けられると共に、一端部側に前記第１ヒンジが、他端部側に前記第２ヒンジが取付けられる部材であり、
前記取付部材は、前記取付ユニットが前記筐体に収容された状態で前記フレーム体の外側面と前記補強枠との間に介在すると共に、締結手段によって前記補強枠に対して締結される、
ことを特徴とする請求項１記載の遊技機。
【請求項３】
前記扉部が前記取付ユニットに支持される側に設けられた前記筐体の第１側壁に対して取り付けられる第１支持部材と、
前記第１側壁と対向した前記筐体の第２側壁に対して取り付けられる第２支持部材と、を備え、
前記第１及び第２支持部材との間には、所定の隙間が設けられていると共に、これら第１及び第２支持部材に対して前記取付ユニットが搭載される、
ことを特徴とする請求項１又は２記載の遊技機。
【発明の詳細な説明】
【技術分野】
【０００１】
本発明は、例えばスロットマシンなどの遊技機に関する。
【背景技術】
【０００２】
従来、外周面に図柄が配列されたリールを複数有するリールユニットを備えた遊技機（回胴式遊技機、スロットマシン）が知られている。この種の遊技機は、メダルやパチンコ玉などの遊技媒体に対して一定の遊技価値を付与し、このような遊技媒体を獲得するための遊技を行うものである。
【０００３】
上述した遊技機においては、製造コストや重量を低減させるために、筐体が樹脂材料から成形されている。また、筐体を樹脂材料から成形した際に十分な強度を確保するために、筐体の開口する面に隣接する各壁部に補強部材を取り付けることで強度を高める技術が開示されている（例えば、特許文献１参照）。
【先行技術文献】
【特許文献】
【０００４】
【特許文献１】特開２００５−２４５５５８号公報
【発明の概要】
【発明が解決しようとする課題】
【０００５】
ところで、上述したような筐体内には、リールユニット、リールユニットを制御する制御基板などが収容されると共に、リールユニットの前方を覆う上扉などが取り付けられるが、従来、これらリールユニット、制御基板、上扉は筐体に対して個別に取り付けられており、これらリールユニット、制御基板、上扉などを交換しようとすると作業が煩雑となり、作業工数が掛かってしまうという問題があった。
【０００６】
一方で、上記作業工数を低減するために、リールユニットや制御基板を共通のフレーム体に取り付けてユニット化をすることも考えられるが、上記取付ユニットのフレーム体に対して上扉を取り付けると、以下の問題がある。即ち、上扉が筐体に直接、取り付けられている場合、上扉の重量が重くなって扉の開閉時等に発生する応力が大きくなったとしても、この応力は比較的強度の高い筐体にて受けることが可能であるが、取付ユニットのフレーム体に対して上記上扉を取り付ける場合、このフレーム体は筐体ほどの強度を有していないため、上扉の開閉時に発生する応力によって歪んでしまう虞がある。
【０００７】
そこで、本発明は、必要充分な強度を有し、効率良く、遊技に係る部品を筐体に対して交換可能な遊技機を提供することを目的とする。
【課題を解決するための手段】
【０００８】
本発明に係る遊技機は、一面が開口した樹脂製の本体部、前記本体部の開口した開口淵に対して取り付けられる金属製の補強枠、を有する筐体と、外周面に複数種類の図柄が配列されている複数のリール、前記複数のリールの回転を制御する制御基板、これら複数のリール及び制御基板の少なくとも一方が取り付けられるフレーム体、を有する取付ユニットと、前記筐体に収容された状態の前記リールの前面を覆う扉部と、前記扉部を開閉可能に支持するヒンジ部と、を備え、前記取付ユニットは、前記フレーム体に対して取り付けられると共に前記ヒンジ部を取り付ける取付部材を有し、かつ、ユニット単位で前記筐体に対して着脱可能に構成され、前記取付部材は、前記取付ユニットが前記筐体に収容された状態にて前記補強枠に対して固定支持される、ことを特徴とする。
【発明の効果】
【０００９】
本発明によれば、リール及び制御基板の少なくとも一方をフレーム体に取り付けて取付ユニットを構成すると共に、この取付ユニットに対して扉部を開閉可能に取り付けている。このため、上記取付ユニット及び扉部を筐体に対してアッシー交換することができ、容易に取付ユニット及び扉部を交換することができる。また、扉部を支持するヒンジ部を取り付ける取付部材をフレーム体に対して設け、この取付部材を筐体の補強枠に対して固定支持したことにより、この取付部材と強度の高い補強枠とで扉部を支持することができる。これにより、フレーム体の強度を必要以上に高く構成する必要がなく、また、あたかも補強枠に扉部を直接的に取り付けたような高い強度で扉部を支持することができる。更に、わざわざヒンジ部を取り外さなくとも取付部を補強枠から取り外すことによって、扉部と取付ユニットとを一緒に取り外すことができる。
【図面の簡単な説明】
【００１０】
【図１】本発明の実施形態における遊技機の外観構成を示す斜視図である。
【図２】本発明の実施形態における遊技機の筐体を示す斜視図である。
【図３】（Ａ）は、本発明の実施形態における遊技機の左フレームを示す斜視図、（Ｂ）は、図３（Ａ）に示す領域Ａの拡大図である。
【図４】図３（Ａ）に示すＢ−Ｂ矢視断面図である。
【図５】本発明の実施形態における遊技機の筐体と取付ユニットとを示す斜視図である。
【図６】本発明の実施形態における遊技機のフレーム体を示す斜視図である。
【図７】本発明の実施形態における遊技機のフレーム体とリールユニットとを示す斜視図である。
【図８】本発明の実施形態における前面上扉及び前面下扉が開いた状態を示す斜視図。
【図９】本発明の実施形態の遊技機において、リールユニットを搭載する位置を変更した変形例を示す斜視図である。
【発明を実施するための形態】
【００１１】
以下、本実施形態について説明する。なお、以下に説明する本実施形態は、特許請求の範囲に記載された本発明の内容を不当に限定するものではない。また、本実施形態で説明される構成の全てが、本発明の必須構成要件であるとは限らない。
【００１２】
＜遊技機の概略構成＞
図１は、本実施の形態に係る遊技機としてのスロットマシン１の外観構成を示す斜視図である。このスロットマシン１は、いわゆる回胴式遊技機と呼ばれるもので、メダルを遊技媒体として用いた遊技を行う種類の遊技機である。
【００１３】
スロットマシン１は、６面体構造のうち遊技者に対向する一面が開口した箱形の筐体１０内に複数のリールとしての第１リールＲ１〜第３リールＲ３からなるリールユニット３０が収められている。また、筐体１０内のリールユニット３０の下部には、メダルの払出装置としてのホッパーユニット（不図示）が収められている。また、本実施形態のスロットマシン１の筐体内には、ＣＰＵ、ＲＯＭ（情報記憶媒体の一例）、ＲＡＭ等を搭載し、スロットマシン１の動作を制御する制御基板３１（図２参照）も収められている。
【００１４】
図１に示す第１リールＲ１〜第３リールＲ３は、それぞれ外周面が一定の間隔で２１の領域（以下、各領域を「コマ」と記載する）に区画されており、各コマに複数種類の図柄のいずれかが配列されている。また、第１リールＲ１〜第３リールＲ３は、リールを駆動させるアクチュエータとしての第１ステッピングモータＭ１〜第３ステッピングモータＭ３に軸支されており、それぞれステッピングモータの軸周りに回転駆動され、ステッピングモータの駆動パルスのパルス数やパルス幅などを制御することによって、コマ単位（所定の回転角度単位、所定の回転量単位）で停止可能に設けられている。すなわち、本実施形態のスロットマシン１では、上記制御基板３１によって上記複数のリールＲ１〜Ｒ３の回転が制御されており、第１ステッピングモータＭ１〜第３ステッピングモータＭ３は制御基板３１から供給された駆動パルスに応じて第１リールＲ１〜第３リールＲ３を回転駆動し、制御基板３１から駆動パルスの供給が断たれると、第１ステッピングモータＭ１〜第３ステッピングモータＭ３の回転が停止することに伴って第１リールＲ１〜第３リールＲ３が停止する。
【００１５】
筐体１０の開口する面を被覆する前面上扉６１と前面下扉６２とは、個別に開閉可能に設けられている。前面上扉６１は、筐体１０の下方側を覆う下扉６２の上方に設けられており、筐体１０に収容された状態の上記リールＲ１〜Ｒ３の前面を覆う扉部である。また、この前面上扉６１には、第１リールＲ１〜第３リールＲ３の回転状態及び停止状態を観察可能にする表示窓６３が設けられている。第１リールＲ１〜第３リールＲ３の停止状態では、第１リールＲ１〜第３リールＲ３それぞれの外周面に一定間隔で配列された複数種類の図柄のうち、外周面上に連続して配列されている３つの図柄（上段図柄、中段図柄、下段図柄）をスロットマシン１の正面から表示窓６３を通じて観察できるようになっている。
【００１６】
また、本実施形態のスロットマシン１では、表示窓６３を通じて図柄を観察するための表示位置として、各リールについて上段、中段、下段が設けられており、各リールの表示位置の組合せによって有効ラインが設定されている。なお、本実施形態のスロットマシン１では、１回の遊技に関して必要となるメダルの数、いわゆる規定投入数が３枚に設定され、規定投入数に相当するメダルが投入されると第１リールＲ１〜第３リールＲ３の中段によって構成される有効ラインが有効化される。
【００１７】
そして、遊技結果は、表示窓６３内の有効ライン上に停止表示された図柄組合せによって判定され、有効ライン上の図柄組合せが予め定められた役に対応した図柄組合せである場合に、その役が入賞したものとしてホッパーユニットからメダルの払い出し等が行われる。
【００１８】
前面上扉６１には、遊技演出を行うための表示装置６４が設けられている。表示装置６４は、例えば液晶ディスプレイから構成され、遊技を補助したり、遊技を盛り上げたりするための各種の映像や画像が表示される。また、前面上扉６１の上部には、遊技演出を行うための演出役物６５が設けられている。演出役物６５は、例えば図１に示すような表示装置６４よりも小さい小型液晶ディスプレイや、遊技の状態に応じて稼働可能な役物から構成され、遊技を補助したり、遊技を盛り上げたりするための演出表現が実行される。
【００１９】
前面下扉６２には、各種の操作手段が設けられている。操作手段としては、クレジット（貯留）されたメダルを投入する操作を行うための投入操作手段として、規定投入数のメダルを投入するマックスベットを実行するマックスベットボタン６６、第１リールＲ１〜第３リールＲ３を回転させて遊技を開始する契機となる開始操作を遊技者に実行させるための遊技開始操作手段としてのスタートレバー６７、第１ステッピングモータＭ１〜第３ステッピングモータＭ３により回転駆動されている第１リールＲ１〜第３リールＲ３のそれぞれを停止させる契機となる停止操作を遊技者に実行させるための停止操作手段としてのストップボタンＢ１〜ストップボタンＢ３及びクレジットされたメダルを精算するための精算ボタン６８も設けられている。
【００２０】
本実施形態のスロットマシン１では、遊技者がメダルをメダル投入口６９に投入するか、メダルが規定投入数以上にクレジットされている場合に、マックスベットボタン６６を押下する操作を行うことで、第１リールＲ１〜第３リールＲ３の回転制御を開始することが可能な準備状態にセットされる。そして、遊技者がスタートレバー６７を押下、つまり遊技者がスタートレバー６７に対して開始操作を実行すると、制御基板３１において第１リールＲ１〜第３リールＲ３をステッピングモータの駆動により回転開始させるとともに、乱数値を用いた内部抽選が行われ、第１リールＲ１〜第３リールＲ３の回転速度が所定の速度まで上昇し定常回転になったことを条件に、ストップボタンＢ１〜ストップボタンＢ３の押下操作が許可、すなわちストップボタンＢ１〜ストップボタンＢ３による停止操作が有効化される。
【００２１】
その後、遊技者が任意のタイミングでストップボタンＢ１〜ストップボタンＢ３を押下（以下、「押下タイミング」と記載）し、遊技者が任意のタイミングで押下状態にあるストップボタンＢ１〜ストップボタンＢ３を解放すると、ストップボタンＢ１〜ストップボタンＢ３それぞれに対応するストップスイッチがオフ動作を行い、制御基板３１へ出力するリール停止信号をオン状態からオフ状態に変化させる。
【００２２】
そして、制御基板３１は、ストップボタンＢ１〜ストップボタンＢ３の押下タイミング及び解放タイミングに応じて信号状態が変化するリール停止信号のオフ状態からオン状態への変化に基づいて、内部抽選の結果に応じた停止位置で第１リールＲ１〜第３リールＲ３を停止させる。
【００２３】
また、制御基板３１は、第１リールＲ１〜第３リールＲ３を停止させた後に、有効ライン上に停止している図柄の組合せ、つまり入賞した図柄の組合せに応じて、各種処理を実行する。制御基板３１が実行する各種処理としては、例えば、入賞した図柄の組合せがメダルの払い出しを伴う小役の図柄組合せである場合には、入賞した小役に設定されている配当に基づきホッパーユニットからメダルを払い出す払出処理や、入賞した図柄の組合せが遊技者にメダルを消費させることなく１回遊技を実行可能にするリプレイの図柄組合せである場合には、規定投入数のメダルを投入状態に設定するリプレイ処理等がある。
【００２４】
前面下扉６２には、各種の操作手段の他に、遊技情報表示部７０が設けられている。遊技情報表示部７０は、ＬＥＤ、ランプ、７セグメント表示器等からなり、メダルのクレジット数、１回の遊技におけるメダルの払出数あるいは獲得数、ボーナス状態でのメダルの払出数の合計あるいは獲得数の合計等の各種遊技情報が表示される。
【００２５】
また、前面下扉６２の下部には、メダル払出口７１とメダル受け皿７２とが設けられており、遊技の結果に応じた枚数のメダルがメダル払出口７１からメダル受け皿７２へ払い出されるようになっている。また、例えば、遊技機内にクレジットされたメダルが記憶されている状態で、精算ボタン６８が押下された場合、精算ボタン６８の押下に伴ってホッパーユニットからクレジット数（クレジットされたメダルの枚数）に相当する枚数のメダルを払い出す精算処理を実行し、メダル払出口７１からメダル受け皿７２へメダルを払い出す。
【００２６】
また、前面下扉６２の下部には、遊技演出を行うためのスピーカ７３ａ，７３ｂが設けられている。スピーカ７３ａ，７３ｂからは、遊技を補助したり、遊技を盛り上げたりするための各種の音声が出力される。
【００２７】
＜筐体の概略構成＞
次に、本実施形態のスロットマシン１の筐体１０について、図２を用いて説明する。図２に示すように、本実施形態における筐体１０は、一面が開口した非透光性の樹脂製の本体部（以下、裏箱本体ともいう）１１と、本体部１１の開口した開口淵に対して取り付けられる金属製の補強部材（以下、補強枠ともいう）１２と、を備えて構成されている。上記裏箱本体１１は、６面体のうち遊技者と対面する前面を除く左壁１１ａと、右壁１１ｂと、上壁１１ｃと、下壁１１ｄと、開口する面に対向する対向壁１１ｅと、の５面（以下、これら５面をまとめて「壁部１１」とも記載）が一体成形された直方体形状となっており、補強枠１２としての左フレーム１２ａ、右フレーム１２ｂ、上フレーム１２ｃ及び下フレーム１２ｄが、左壁１１ａ、右壁１１ｂ、上壁１１ｃ及び下壁１１ｄの開口された面に隣接する４面にそれぞれ配設されている。ここで、上記裏箱本体１１は、ＡＢＳ、ポリカーボネート等の汎用性のある樹脂材料から成形されており、各壁部の剛性を高めるために多数の補強リブ１１１が形成されている。
【００２８】
補強枠１２においては、隣接する補強フレーム１２ａ〜１２ｄ同士がブラケット１６ａ〜１６ｄを介して接続されている。ブラケット１６ａ〜１６ｄを用いて隣接する補強フレーム同士を接続することで、スロットマシン１は、例えば左フレーム１２ａと上フレーム１２ｃとの間等、補強フレーム同士の間に生じる隙間をブラケット１６ａ〜１６ｄによって閉塞することができ、補強フレーム同士の間に生じる隙間から不正に侵入されることを防ぐことができる。
【００２９】
裏箱本体１１には、前面上扉６１と前面下扉６２との境界位置となる上下方向略中央部にガイド部材（第１及び第２支持部材）２１ａ，２１ｂが配設されている。ガイド部材２１ａ，２１ｂは、対向壁１１ｅに不図示のネジによって取り付けられる取付け部２１１ａ，２１１ｂと、リールユニット３０が搭載される後述するフレーム体４１（図５参照）と当接するフレーム当接面２１２ａ，２１２ｂと、左壁１１ａ又は右壁１１ｂと当接する壁部当接面２１３ａ，２１３ｂと、前面上扉６１と前面下扉６２との間から不正に侵入されることを防ぐための不正侵入防止部２１４ａ，２１４ｂと、を有している。
【００３０】
また、裏箱本体１１の左壁１１ａと右壁１１ｂとには、それぞれ裏箱本体１１の内部に向けて凹むように突出した把手１５ａ，１５ｂが設けられている。把手１５ａ，１５ｂは、内側に突出した突出部１５１ａ，１５１ｂが、ガイド部材２１ａ，２１ｂの下面と当接している。このため、スロットマシン１は、フレーム体４１を配設した場合にガイド部材２１ａ，２１ｂを介して対向壁１１ｅにかかる垂直方向の荷重が、ガイド部材２１ａ，２１ｂから把手１５ａ，１５ｂを介して左壁１１ａ及び右壁１１ｂに分散される構成となっている。更に、裏箱本体１１の対向壁１１ｅには、制御基板３１に電気的に接続される接続端子２２ａ，２２ｂが配設されている。
【００３１】
＜補強枠の構成＞
次に、補強枠（補強フレーム）１２の詳細について図２乃至４に基づいて説明をする。本実施形態の補強枠１２は、アルミ材料の押出成型により成形されている。そのため、左フレーム１２ａと、右フレーム１２ｂと、上フレーム１２ｃと、下フレーム１２ｄと、は、長手方向の長さや長辺及び短辺から形成される内角の角度、各面に形成された穴の形状及び大きさ等が異なるものの、断面形状は同一形状を有している。
【００３２】
具体的には、左フレーム１２ａは、裏箱本体１１の開口する面に隣接する左壁１１ａの端面が傾斜を有していることに伴い、左壁１１ａと当接するベース面１２１ａが略平行四辺形状に形成されている。また、右フレーム１２ｂは、裏箱本体１１の開口する面に隣接する右壁１１ｂの端面が傾斜を有していることに伴い、右壁１１ｂと当接するベース面１２１ｂが略平行四辺形状に形成され、長手方向の長さも左フレーム１２ａと略同一となっている。上フレーム１２ｃは、上壁１１ｃと当接するベース面１２１ｃが長方形状に形成され、長手方向の長さが他の補強フレームよりも短くなっている。また、下フレーム１２ｄは、下壁１１ｄと当接するベース面１２１ｄが長方形状に形成され、長手方向の長さが上フレーム１２ｃよりも長くなっている。
【００３３】
このため、補強フレーム１２の詳細について説明するために、まずは、図３、図４を参照して、左フレーム１２ａを例に補強フレーム１２のそれぞれに共通する構成から説明を行う。
【００３４】
図３（Ａ）、（Ｂ）及び図４は、左フレーム１２ａを示す図である。図３（Ａ）は、左フレーム１２ａの外観を示す斜視図、図３（Ｂ）は、図３（Ａ）に示した領域Ａを示す拡大図である。また、図４は、図３（Ａ）に示したＢ−Ｂ矢視断面図である。
【００３５】
図３（Ａ）に示すように、左フレーム１２ａのベース面１２１ａには、左壁１１ａにネジ止め固定される場合にネジが挿入される穴１３４ａが形成されている。また、図３（Ａ）、図４に示すように、左フレーム１２ａは、板状のベース面１２１ａと、ベース面１２１ａと平行な平行面１２２ａと、を一体的に繋ぐ複数の架橋部としての第１ブリッジ部１２３ａ及び第２ブリッジ部１２４ａを有し、第１ブリッジ部１２３ａ及び第２ブリッジ部１２４ａによってベース面１２１ａと平行面１２２ａとの複数の板状部材が空間を有して積層された構造に形成されている。
【００３６】
第１ブリッジ部１２３ａ及び第２ブリッジ部１２４ａは、ベース面１２１ａから平行面１２２ａに向けて垂直方向に延出しており、垂直方向の第１端部１２５ａ及び第２端部１２６ａが平行面１２２ａから突出している。このため、左フレーム１２ａには、第１ブリッジ部１２３ａと、平行面１２２ａと、第２ブリッジ部１２４ａと、によって凹部１２７ａが形成されている。凹部１２７ａには、上述したブラケット１６ａ，１６ｃが挿入可能に構成されており、ブラケット１６ａ，１６ｃと左フレーム１２ａとの間に隙間が生じることを防止できる構成となっている。
【００３７】
第１ブリッジ部１２３ａは、左壁１１ａ側（図４中上側）の側面が左壁１１ａに当接する。また、第１ブリッジ部１２３ａには、左壁１１ａ方向に突出する突出部１２８ａが形成されている。突出部１２８ａは、第１ブリッジ部１２３ａに接続し左壁１１ａ方向に突出する接続部１２９ａと、接続部１２９ａの端部に形成され第１ブリッジ部１２３ａ方向に折れ曲がった形状を有する屈曲部１３０ａと、を有している。本実施の形態において、突出部１２８ａは、左フレーム１２ａを左壁１１ａに配設した際に、左壁１１ａ内に収容される。このため、スロットマシン１は、左壁１１ａと左フレーム１２ａとの間からの不正な侵入を突出部１２８ａによって防ぐことができるように構成されている。
【００３８】
第２ブリッジ部１２４ａは、前面上扉６１及び前面下扉６２側（図５中下側）の側面が前面上扉６１及び前面下扉６２に当接する。また、第２ブリッジ部１２４ａには、前面上扉６１及び前面下扉６２方向に突出する突出部１３１ａが形成されている。突出部１３１ａは、第２ブリッジ部１２４ａに接続し前面上扉６１及び前面下扉６２方向に突出する接続部１３２ａと、接続部１３２ａの端部に形成され第２ブリッジ部１２４ａ方向に折れ曲がった形状を有する屈曲部１３３ａと、を有している。本実施の形態において、突出部１３１ａは、左フレーム１２ａを左壁１１ａに配設した際に、屈曲部１３３ａと第２ブリッジ部１２４ａとベース面１２１ａとの間の空間に前面上扉６１及び前面下扉６２の一部が収容される。このため、スロットマシン１は、前面上扉６１と左フレーム１２ａとの間及び前面下扉６２と左フレーム１２ａとの間からの不正な侵入を突出部１３１ａ、第２ブリッジ部１２４ａ及びベース面１２１ａによって防ぐことができるように構成されている。
【００３９】
上述した通り、左フレーム１２ａは、アルミ合金を押出成型することで成形されている。このため、左フレーム１２ａは、突出部１２８ａ及び突出部１３１ａの屈曲部を有する構造や、ベース面１２１ａと平行面１２２ａとが積層された構造といった複雑な構造を一体に成形する際に、低い製造コストで実現することができる。
【００４０】
以上の左フレーム１２ａが有する各構成は、他の補強フレームも有する構成である。つまり、補強フレーム１２は、ベース面１２１と、平行面１２２と、第１ブリッジ部１２３と、第２ブリッジ部１２４と、からなる強固な断面形状を有している。このため、本実施形態のスロットマシン１は、補強フレーム１２を筐体１０に取り付けることで、十分に筐体１０の強度を確保することができ、筐体１０の内部に左右の側壁間を連結するセンタベースのような筐体１０を補強するための部材を別途配設する必要がなくなる。このため、スロットマシン１は、筐体１０内にリールユニット３０や制御基板３１などを配設する際の位置の制約が緩くなるため、リールユニット３０や制御基板３１などの配置位置の自由度を向上させることが可能となる。
【００４１】
次に、左フレーム１２ａと右フレーム１２ｂとが有する左フレーム１２ａと右フレーム１２ｂとに特有の構成を記載する。左フレーム１２ａのベース面１２１ａと平行面１２２ａとの間には、鉄製の板金部材１３５ａが配設されている。板金部材１３５ａは、左フレーム１２ａのうち、第１ブリッジ部１２３ａから第２ブリッジ部１２４ａ方向に突起した第１突起部１３６ａ及び第２ブリッジ部１２４ａから第１ブリッジ部１２３ａ方向に突起した第２突起部１３７ａと、ベース面１２１ａと、の間に配設されている。板金部材１３５ａは、左フレーム１２ａの上壁１１ｃ側から、板金部材１３５ａの端部を折り返すことで形成された返し部１３８ａが第１突起部１３６ａ及び第２突起部１３７ａに当接するまで挿入されており、返し部１３８ａが第１突起部１３６ａ及び第２突起部１３７ａに当接することで左フレーム１２ａに対して位置決めされている。
【００４２】
また、板金部材１３５ａは、平行面１２２ａに形成されブラケット１６ａを取り付ける際にネジが挿入される穴１３９ａ及びブラケット１６ｃを取り付ける際にネジが挿入される穴１４０ａや、ベース面１２１ａに形成され後述する取付ユニット４０を取り付ける際にネジが挿入される穴１４１ａ（図２参照）に対応する位置に、ネジ穴１４２ａが形成されている。つまり、スロットマシン１は、ブラケット１６ａ，１６ｃや取付ユニット４０をネジ止めして左フレーム１２ａに取り付ける場合に、板金部材１３５ａにネジ止め固定するように構成されている。アルミ合金から形成された左フレーム１２ａにネジ溝を形成せずに鉄製の板金部材１３５ａにネジ溝を形成することで、スロットマシン１は、ブラケット１６ａ，１６ｃの着脱やフレーム体４１の着脱によって左フレーム１２ａがネジによって摩耗してしまうことを防ぐことができる。
【００４３】
左フレーム１２ａは、図３（Ｂ）及び図４に示すように、凹部１２７ａや屈曲部１３３ａといったスロットマシン１の外周を構成する個所に、左フレーム１２ａの長手方向に延びる多数の溝１４３ａが形成されている。外部に露出する凹部１２７ａ及び屈曲部１３３ａに溝１４３ａが形成されることにより、左フレーム１２ａは、左フレーム１２ａに傷が生じた場合にも傷が目立たなくなるように構成されている。
【００４４】
以上の左フレーム１２ａが有する板金部材１３５ａや板金部材１３５ａを収容する第１突起部１３６ａ及び第２突起部１３７ａ、平行面１２２ａに形成された溝１４３ａは、右フレーム１２ｂも有しているが、上フレーム１２ｃ及び下フレーム１２ｄは有していない構成となっている。
【００４５】
＜取付ユニットの構成＞
次に、上記複数のリール及び制御基板が設けられた取付ユニット４０の構成について、図５乃至７に基づいて説明をする。図５に示すように、本実施の形態に係るスロットマシン１では、リールユニット３０や、リールユニット３０を制御する制御基板３１などの遊技に係る部品がフレーム体４１に対して取り付けられて取付ユニット（遊技ユニット）４０としてユニット化されており、この取付ユニット単位にて筐体１０に対して着脱可能に設けられている。
【００４６】
より具体的には、図６に示すように、上記フレーム体４１は、リールユニット３０と制御基板３１とを搭載可能に構成されており、左側面を形成する左枠４１ａと、右側面を形成する右枠４１ｂと、左枠４１ａと右枠４１ｂとを接続する上枠４１ｃと、着脱自在な下枠４１ｄと、接続端子４２ａ，４２ｂが配設される底面部４１ｅと、を有している。
【００４７】
フレーム体４１のうち下枠４１ｄは、左枠４１ａ、右枠４１ｂ及び底面部４１ｅにネジ４１２ｄによって締結されており、着脱自在に構成された下部フレームを構成している。下枠４１ｄは、左枠４１ａにネジ止め固定される左側壁４３ａと、右枠４１ｂにネジ止め固定される右側壁４３ｂと、左側壁４３ａと右側壁４３ｂとを接続し、底面部４１ｅにネジ止め固定される下面４３ｃと、を有している。下面４３ｃの底面部４１ｅに対向する端部には、リールユニット３０がネジ止め固定される第１固定部４４が形成されている。
【００４８】
また、フレーム体４１のうち底面部４１ｅは、接続端子４２ａ，４２ｂの近傍にリールユニットがネジ止め固定される第２固定部４５を有している。本実施形態においては、図７に示すように、フレーム体４１は、下枠４１ｄの第１固定部４４と、底面部４１ｅの第２固定部４５と、にリールユニット３０を固定することで下枠４１ｄと底面部４１ｅとによって形成される空間にリールユニット３０を搭載している。
【００４９】
フレーム体４１の底面部４１ｅは、接続端子４２ａ，４２ｂよりも上方の上側底面部４６のうち、右枠４１ｂと上枠４１ｃとを接続する第１接続部４６ａが、左枠４１ａと右枠４１ｂとを接続する第２接続部４６ｂよりも凹んだ形状を有している。制御基板３１は、図７に示すように、第１接続部４６ａの凹形状によって形成された空間に、基板接続部材３２を介してフレーム体４１に搭載可能に構成されている。
【００５０】
＜前面上扉の取付構成＞
ついで、前面上扉６１の取付構成について、図５乃至図８に基づいて説明をする。図８に示すように、前面上扉６１は、上述した表示装置６４や、演出役物６５などが搭載されて構成されており、この前面上扉６１を開閉自在に支持するヒンジ部６２０を介して上記取付ユニット４０に対して開閉可能に取り付けられている。より具体的には、ヒンジ部６２０は、上下位置が異なるように所定間隔を存して配設された第１及び第２ヒンジ６２１，６２２を備えて構成されており、これら第１及び第２ヒンジ６２１，６２２は、取付ユニット４０の取付部材５００に対して取り付けられている。
【００５１】
取付部材５００は、取付ユニット４０のフレーム体４１の左枠４１ａの外側面に設けられた金属製の板状部材であり（図５及び６も合せて参照）、その一端部側（上端部側）及び他端部側（下端部側）にそれぞれ第１及び第２ヒンジ６２１，６２２が直接的に取り付けられている。即ち、図５に示すように、樹脂製からなるフレーム体４１の左枠のうち、取付部材５００の上端部及び下端部に対応する部分には、それぞれ開口部４１ａ１，４１ａ２が設けられており、これら開口部４１ａ１，４１ａ２を介して、上記第１及び第２ヒンジ６２１，６２２は、筐体１０の内側空間側から取付部材５００の内側面に対して取り付けられている。
【００５２】
また、上記取付部材５００は、矩形の開口部４１ａ１，４１ａ２の各角部の縁の近傍に対してネジ５１０によってネジ止めされることによってフレーム体４１に取り付けられていると共に、第１及び第２ヒンジ６２１，６２２の取り付け部分の間（一端部と他端部との間の中間部）に、一対の嵌挿孔５０３が形成されている。
【００５３】
上記嵌挿孔５０３は、フレーム体４１の左枠４１ａ及び取付部材５００を、補強枠１２の左フレーム１２ａに対して固定支持するための嵌挿孔であり、左枠４１ａの嵌挿孔４１１及び取付部材５００の嵌挿孔５０３を介して、ノブボルト（締結手段）４３０が左フレーム１２ａのネジ穴１４１ａ，１４２ａに対して締結されるようになっている。なお、取付部材５００は、フレーム体４１の構造部材（補強部材）としても機能しているため、右枠４１ｂの外側面にも同様に金属板６００が取り付けられている。
【００５４】
更に、フレーム体４１は、上記左右枠４１ａ，４１ｂの左右フレーム１２ａ，１２ｂに対する締結の他に、左枠４１ａのうち底面部４１ｅの方向に突出した突出部４１１ａが筐体１０に配設されたガイド部材２１ａのフレーム当接面２１２ａに載置され、右枠４１ｂのうち底面部４１ｅの方向に突出した突出部４１１ｂが筐体１０に配設されたガイド部材２１ｂのフレーム当接面２１２ｂに載置されるように構成されており、前面上扉６１を含むその重量が分散して支持されている。
【００５５】
以上、説明をしたように本実施の形態において、スロットマシン１は、リールユニット３０及び制御基板３１をフレーム体４１に取り付けて、取付ユニット４０の単位にて筐体１０に対して着脱可能に構成されている。更に、この取付ユニット５０に対して前面上扉６１を開閉可能に取り付けているため、取付ユニット４０を前面上扉６１ごとアッシー交換するだけの簡単な作業で、筐体１０はそのままに、リールユニット３０の位置や制御基板（制御装置）が実行する遊技の内容が異なるスロットマシンに機種交換を行なうことができるようになっている。なお、本実施の形態においては、フレーム体４１に対してリールユニット３０及び制御基板３１の両方を取り付けたが、フレーム体４１にはこれらリールユニット３０及び制御基板３１の少なくともいずれか一方が取り付けられていれば良い。
【００５６】
また、上記前面上扉６１を開閉可能に支持するヒンジ部６２０が、フレーム体４１に設けられた取付部材５００に対して取り付けられていると共に、この取付部材５００を補強枠１２に対して固定支持しているため、フレーム体４１を樹脂等により軽量に構成しつつも、前面上扉６１の開閉により瞬間的に生じる大きな応力が掛かることのある取付部材５００の剛性を高く構成している。そして、このように取付部材５００を補強枠１２に対して固定支持することによって、前面下扉６２のように補強枠１２に対して直接、ヒンジ部６２０を取り付けた場合と実質的に同程度、或いはそれ以上の強度で前面上扉６１を支持している。
【００５７】
即ち、前面上扉６１が重くなったとしても、取付ユニット４０と一体に前面上扉６１を取り外し可能に構成しなくとも良いのであれば、筐体１０の補強部材（補強枠、補強フレーム）１２に対して前面上扉６１が取り付けて、ドアの開閉の際に発生する応力を補強部材によって受けるように構成すれば良い。一方で、取付ユニット４０と一体に前面上扉６１を取り外すために、直接、フレーム体４１に対してドアを取り付けようとすると、開閉により発生する応力をフレーム体４１のみで受けることとなり、軽量化のために樹脂によって形成されたフレーム体４１が強度不足に陥って左右に撓む虞があり、また、フレーム体４１が左右に撓むことに伴い樹脂製の裏箱本体１１にも影響を与えかねない。そこで、本実施の形態では、上述したように、フレーム体４１と一体の取付部材５００を筐体１０の補強部材１２に対して固定支持し、この取付部材５００を介して筐体１０の中で強度を最も有する部材にフレーム体４１を固定支持することによって、前面上扉６１を強固に支持することを可能としていると共に、フレーム体４１を必要以上に高い強度で構成することなく軽量に構成することを可能としている。
【００５８】
更に、上記取付部材５００を板状部材により構成して、第１及び第２ヒンジ６２１，６２２の取付部分を連結する連結部材とし、この連結部材としての取付部材５００については、ノブボルト４３０によって補強枠１２に対して取り付けているため、第１及び第２ヒンジ６２１，６２２をそれぞれ取り外すこと無く、作業者は、ノブボルト４３０を取り外す／取り付けるだけの簡単な作業で、取付ユニット４０及び前面上扉６１を筐体１０に対して脱着することができる。
【００５９】
また、取付部材５００が、取付ユニット４０が筐体１０に収容された状態でフレーム体４１の外側面と補強枠１２との間に介在すると共に、締結手段としてのノブボルト４３０によって補強枠１２に対して締結されているため、取付部材５００は、取付ユニット４０が筐体１０に収容された状態で、補強枠１２に対して応力を伝達可能に接触するようになっている。即ち、取付部材５００が補強枠１２に対して面接触することによって、前面上扉６１が開閉されて第１及び第２ヒンジ６２１，６２２の取付部分に大きな応力が生じたとしても、補強枠１２に接触している面全体で補強枠１２側に応力を分散して伝達することができるようになっている。
【００６０】
更に、前面上扉６１が取付ユニット４０に支持される左側の筐体１０の第１側壁（左壁１１ａ及び左フレーム１２ａ）に設けられたガイド部材（第１支持部材）２１ａと、筐体１０の第１側壁と対向した第２側壁（右壁１１ｂ及び右フレーム１２ｂ）に設けられたガイド部材（第２支持部材）２１ｂとが、取付ユニット４０の重量を支持しているため、上記ノブボルト４３０に掛かる荷重が少なく、前面上扉６１の開閉方向の衝撃を取付部材５００及び補強枠１２と共に強く受けることができる。また、上記ガイド部材２１ａ，２１ｂが、所定の隙間を存して配置されている。このため、リールユニット３０や、制御基板３１の配置の自由度を向上させることができる。
【００６１】
＜変形例＞
上述した取付ユニット４０のフレーム体４１は、リールユニット３０を第１位置に搭載可能な下枠４１ｄ及び底面部４１ｅと、リールユニット３０を第１位置とは異なる第２位置に搭載可能な第１接続部４６ａと、を有している。つまり、本実施の形態のスロットマシン１は、筐体１０に着脱自在に配設されたフレーム体４１においてリールユニット３０を搭載する位置を選択可能に構成することで、リールユニット３０及び制御基板３１の配置位置の自由度を向上することが可能に構成されている。
【００６２】
以下、上記図１乃至８に示す遊技機とは、リールユニット３０及び制御基板３１の配置を変更した場合の一例を図９及び図６に基づいて説明をする。フレーム体４１は、リールユニット３０を第１接続部４６ａの凹形状によって形成された空間に搭載することもできる。図９は、リールユニット３０を第１接続部４６ａによって形成された空間に搭載した状態を示す図である。フレーム体４１は、第１接続部４６ａによって形成された空間にリールユニット３０を搭載する場合、上枠４１ｃに設けられた第３固定部４７と、第２接続部４６ｂに設けられた第４固定部４８と、にリールユニット３０を固定することで、第１接続部４６ａによって形成された空間にリールユニット３０を搭載可能に構成されている。また、第１接続部４６ａによって形成された空間にリールユニット３０を搭載した場合、制御基板３１は、下枠４１ｄと底面部４１ｅとによって形成される空間を利用し、不図示の基板接続部材を介してフレーム体４１に搭載可能に構成されている。
【００６３】
即ち、リールユニット３０を第１接続部４６ａによって形成される空間に搭載した場合に制御基板３１が搭載される下枠４１ｄと底面部４１ｅとの間のリールユニット３０が搭載される位置が、第１位置を構成し、下枠４１ｄと底面部４１ｅとが、本実施形態における第１搭載部を構成する。また、リールユニット３０を下枠４１ｄと底面部４１ｅとの間に搭載した場合に制御基板３１が搭載される第１接続部４６ａの凹形状によって形成された空間におけるリールユニット３０が搭載される位置が、本実施の形態における第２位置を構成し、第１接続部４６ａが、本実施形態における第２搭載部を構成する。このように、フレーム体４１に対するリールユニット３０及び制御基板３１の搭載位置を複数の位置の中から選択可能に設けると共に、上記ガイド部材２１ａ，２１ｂの間に所定隙間を設けることによって、筐体１０の構成が一定であったとしてもリールユニット３０及び制御基板３１の配置設計の自由度を高めることができる。
【００６４】
また、スロットマシン１は、フレーム体４１内においてリールユニット３０が搭載されない第１位置又は第２位置に制御基板３１を搭載することができ、フレーム体４１内に制御基板３１を搭載するためのスペースを別途設ける必要が無くなり、フレーム体４１を小型化することができる。
【００６５】
なお、上述した実施の形態において、取付部材５００は平坦な板状部材として構成されていたが、これに限らず、どのような形状に形成されても良い。例えば、取付部材５００は、断面略コの字状やＨ状の部材などによって構成されても良く、この場合、取付部材５００を、スペーサーとして機能させ、取付部材５００を除いた取付ユニット４０（フレーム体４１）と補強枠１２とを接触させずに、これら取付ユニット４０と補強枠１２との間に所定の隙間を存するように遊技機を構成しても良い。このように取付ユニット４０と筐体１０との間に隙間を形成すると、ピアノ線などを遊技機内に対して進入させ辛くすることができる。また、取付部材５００は、ノブボルトのみならず、補強枠１２に対して着脱可能な構成であればどのような手段によって補強枠１２に対して取り付けられても良い。
【００６６】
更に、筐体１０に取り付ける扉を前面上扉６１及び前面下扉６２の二つに分割して構成したが、必ずしも上下二つの扉によって構成する必要はなく、例えば、扉部を１枚扉によって形成しても良い。この場合、この１枚扉は、取付ユニット４０の取付部材５００に対してのみヒンジを取り付けてもよいと共に、一部のヒンジを例えば、上記取付部材５００を介さず補強枠１２に直接、取り付けるように構成しても良い。
【００６７】
また、本実施形態において、フレーム体４１は、第１位置にリールユニット３０を搭載可能な下枠４１ｄ及び底面部４１ｅからなる第１搭載部と、第２位置にリールユニット３０を搭載可能な第１接続部４６ａからなる第２搭載部と、を有しているが、これに限らず、例えば第１位置及び第２位置とは異なる第３位置にリールユニット３０を搭載可能に構成されていてもよい。
【００６８】
更に、本実施形態において、筐体１０は、把手１５ａ，１５ｂ近傍に設けられたガイド部材２１ａ，２１ｂにフレーム体４１を当接させてフレーム体４１を搭載するように構成されているが、これに限らず、ガイド部材２１ａ，２１ｂを配設可能な位置を複数設けても良く、ガイド部材２１ａ，２１ｂの配置を変更することでフレーム体４１を第１着脱位置と、第１着脱位置とは異なる第２着脱位置と、に着脱可能に構成してもよい。
【００６９】
また、上記図１乃至８に示す実施の形態の場合、ガイド部材２１ａ，２１ｂの間にリールユニット３０が配設されているが、これに限らず、例えば、制御基板３１の内、演出を管理するサブ基盤や、遊技を盛り上げるための役物などを配置しても良い。
【符号の説明】
【００７０】
１０：筐体、１１：本体部（裏箱本体）、１２：補強枠、３１：制御基板、４０：取付ユニット、４１：フレーム体、６１：扉部（前面上扉）、６２：下扉、２１ａ：第１支持部材（ガイド部材）、２１ｂ：第２支持部材（ガイド部材）、４３０：締結手段（ノブボルト）、５００：取付部材、６２０：ヒンジ部、６２１：第１ヒンジ、６２２：第２ヒンジ、Ｒ１〜Ｒ３：リール
【図１】
2017035221.tif 000003
【図２】
2017035221.tif 000004
【図３】
2017035221.tif 000005
【図４】
2017035221.tif 000006
【図５】
2017035221.tif 000007
【図６】
2017035221.tif 000008
【図７】
2017035221.tif 000009
【図８】
2017035221.tif 000010
【図９】
2017035221.tif 000011